(57)【特許請求の範囲】
【請求項１】
噴霧孔を有するノズル部を筒部の前端に形成する本体と、前記筒部に挿入する筒体を備えるプランジャとを備えてなり、前記筒部の前端部には、後向きの突部と突起とを設け、前記筒部は、前記プランジャを保持位置に前進させて軟質包装剤を前記筒体の前方に保持するとともに前記突部により支持し、保持位置を越えて前記プランジャを前進限にまで前進させると、前記突起により軟質包装剤が突き破られて破裂し、軟質包装剤の液剤が前記噴霧孔から霧状に噴出することを特徴とする噴霧容器。
【請求項２】
前記ノズル部には、前記本体と別体のロッドを収納し、前記突起は、前記ロッドの後方において前記ロッドの周囲に配置することを特徴とする請求項１記載の噴霧容器。
【請求項３】
前記ノズル部には、前記本体と一体のロッドを収納し、前記突起は、前記ロッドの後端に形成することを特徴とする請求項１記載の噴霧容器。
【請求項４】
前記本体は、一対の前記筒部を平行に連結して前記ノズル部の先端を双方の鼻孔に挿入可能とし、前記プランジャは、一対の前記筒体を平行に連結して前記筒部に対応させることを特徴とする請求項１ないし請求項３のいずれか記載の噴霧容器。
【発明の詳細な説明】
【技術分野】
【０００１】
この発明は、鼻孔内に点鼻薬を噴霧して投与するときなどに使用する噴霧容器に関する。
【背景技術】
【０００２】
シリンジバレルとプランジャとを組み合わせる使い捨ての点鼻薬容器が知られている（特許文献１）。
【０００３】
シリンジバレルの前端には、噴霧孔が開口されており、シリンジバレル内には、センタストッパと、所定量の薬液と、ピストン付きのプランジャとが収納され、薬液は、センタストッパとピストンとによってシリンジバレルに封入されている。そこで、プランジャを介してピストンを前進させると、薬液とともにセンタストッパが前進し、薬液を噴霧孔に流出させる導入路を開放して噴霧孔から薬液を霧状に噴出させることができる。なお、ピストンの前進速度を高めて薬液を確実に霧状に噴出させるために、プランジャを一時的に保持する保持機構を設け、プランジャを一定の圧力以上に強く押すと、保持機構を乗り越えてプランジャがピストンとともに殆ど瞬時に前進限にまで前進移動するように工夫されている。
【先行技術文献】
【特許文献】
【０００４】
【特許文献１】再表ＷＯ２００９／０５７５７２号公報
【発明の概要】
【発明が解決しようとする課題】
【０００５】
かかる従来技術によるときは、シリンジバレルに薬液を充填するために真空充填設備のような特殊な設備を必要とする上、シリンジバレル内を摺動移動するセンタストッパ、ピストンを介して薬液を封止するので、所要部品点数が多くなり、使い捨ての用途に適用し難くなりがちであるという問題があった。
【０００６】
そこで、この発明の目的は、かかる従来技術の問題に鑑み、液剤を封入した軟質包装剤を使用することによって、特殊な設備を要することなく、所要部品点数を最少に抑え、使い捨ての用途にも好適に適用し得る噴霧容器を提供することにある。
【課題を解決するための手段】
【０００７】
かかる目的を達成するためのこの発明の構成は、噴霧孔を有するノズル部を筒部の前端に形成する本体と、筒部に挿入する筒体を備えるプランジャとを備えてなり、筒部の前端部には、後向きの突部と突起とを設け、筒部は、プランジャを保持位置に前進させて軟質包装剤を筒体の前方に保持するとともに突部により支持し、保持位置を越えてプランジャを前進限にまで前進させると、突起により軟質包装剤が突き破られて破裂し、軟質包装剤の液剤が噴霧孔から霧状に噴出することをその要旨とする。なお、この発明において、「軟質包装剤」とは、ゼラチンを主成分とする水溶性の軟カプセルに油性の液剤を封入する軟カプセル剤の他、不溶性のプラスチックフィルムなどの軟質の包装材に水性または油性の液剤を封入する包装製剤を含んでいうものとする。
【０００８】
なお、ノズル部には、本体と別体のロッドを収納し、突起は、ロッドの後方においてロッドの周囲に配置してもよく、ノズル部には、本体と一体のロッドを収納し、突起は、ロッドの後端に形成してもよい。
【０００９】
また、本体は、一対の筒部を平行に連結してノズル部の先端を双方の鼻孔に挿入可能とし、プランジャは、一対の筒体を平行に連結して筒部に対応させることができる。
【発明の効果】
【００１０】
かかる発明の構成によるときは、本体の筒部には、軟質包装剤を収納してプランジャの筒体を挿入し、プランジャを中間の保持位置に前進させて軟質包装剤を筒体の前方に保持することができる。そこで、プランジャの後端を手指で強く押して一定以上の押圧力を加えると、プランジャは、保持位置を越えて前進限にまで殆ど瞬時に高速前進し、筒部の前端部の後向きの突起により軟質包装剤が突き破られて破裂し、内部の液剤を筒部の前端のノズル部の噴霧孔から外部に霧状に噴出させることができる。すなわち、液剤を封入する軟質包装剤は、格別なストッパやピストンなどの封止部材を要することなく、筒部に安定に収納して保持することができ、したがって、所要部品点数を最少に抑えるとともに、特殊な充填用の設備を使用する必要もない。ただし、軟質包装剤には、１回分の投与量相当の所定量の液剤を封入するものとする。
【００１１】
噴霧孔からの液剤は、プランジャが前進限に到達するときの前進速度や、軟質包装剤が破裂するときの圧力などにより噴霧の状態が変わり得るが、これらのパラメータは、プランジャが保持位置を越えるときのプランジャの所要押圧力や、軟質包装剤の強度などによって決まり、操作者の操作の仕方に大きく影響されることがない。すなわち、液剤は、誰でも一定の噴霧が可能である。また、この発明は、軟質包装剤を筒部に収納してプランジャの筒体を保持位置にまで挿入して全体を包装することにより、単回使用の使い捨ての用途に使用することができる。なお、軟質包装剤を別包装することにより、製剤の安定性を保証することも可能である。ただし、軟質包装剤に封入する液剤は、鼻孔内に噴霧する点鼻薬の他、口腔内に噴霧する口内炎薬や口臭薬、傷口などに噴霧する消毒薬などであってもよい。
【００１２】
中空のノズル部の軸心上にロッドを収納すると、ノズル部の実効断面積を小さく絞り、ノズル部を前向きに流れる液剤の流速を高めて噴霧孔からの液剤を一層良好に霧化して噴霧することができる。一方、このようなロッドは、ノズル部を含む本体と別体、一体のいずれとしてもよく、軟質包装剤を破裂させる突起は、前者の場合、ロッドの後方においてロッドの周囲に配置し、後者の場合、ロッドの後端に形成すればよい。なお、筒部の前端部に設ける後向きの突部は、保持位置にあるプランジャの前方の筒部内の軟質包装剤を支持し、プランジャが保持位置を通過して突部上の軟質包装剤を適切に弾性変形させない限り、突起が軟質包装剤に接触したり、それによって軟質包装剤を不用意に傷付けたりすることがない。
【００１３】
一対の筒部を有する本体と、一対の筒体を有するプランジャとを組み合わせれば、プランジャを前進させることにより、双方の筒部のノズル部から液剤を同時に噴出させ、双方の鼻孔に対する投与を一挙に完了させることができる。ただし、このときの液剤は、点鼻薬である。
【図面の簡単な説明】
【００１４】
【図１】全体分解斜視図
【図２】全体組立縦断面図
【図３】本体の構成説明図（１）
【図４】本体の構成説明図（２）
【図５】一部破断要部拡大斜視図
【図６】図２の要部拡大図
【図７】要部拡大動作図
【図８】他の実施の形態を示す図５相当図
【図９】図８のＹ−Ｙ矢視相当拡大断面図
【図１０】他の実施の形態を示す図６相当図
【図１１】他の実施の形態を示す図７相当図
【図１２】他の実施の形態を示す図１相当図
【図１３】図１２の全体組立縦断面図
【図１４】図１３のＢ−Ｂ矢視相当断面図
【図１５】図１２の本体の構成説明図
【図１６】図１３の要部拡大図
【図１７】図１３の要部拡大動作図
【図１８】軟質包装剤の斜視説明図
【発明を実施するための形態】
【００１５】
以下、図面を以って発明の実施の形態を説明する。
【００１６】
噴霧容器は、筒部１１の前端にノズル部１２を形成する本体１０と、筒部１１に挿入する筒体２１を備えるプランジャ２０とを備えてなる（図１、図２）。なお、本体１０のノズル部１２には、ロッド３１が収納され、筒部１１には、筒体２１の前方に軟質包装剤ＳＣを収納することができる。
【００１７】
本体１０の筒部１１は、前端部を滑らかに縮径するとともに、小径のノズル部１２が筒部１１の前端に同一軸心上に突設されている。筒部１１の後端部には、左右対称の羽根状の指掛け１３、１３が形成され、滑らかに湾曲する各指掛け１３の前面側には、滑止め用の突条１３ａ、１３ａ…が形成されている。左右の指掛け１３、１３は、それぞれ筒部１１の外周に対して滑らかに連続し、筒部１１を挟んで互いに連続するように形成されている。
【００１８】
筒部１１の後端部は、内径ｄo の最大径部１１ａとして、指掛け１３、１３の後面側にまで突出している（図３（Ａ））。筒部１１は、後端部の最大径部１１ａから前方のノズル部１２に向けて、大小の斜めの段部１１ｂ、１１ｃを介して内径ｄ1 ＜ｄo 、内径ｄ2 ＜ｄ1 に順に縮径され、前端部においてノズル部１２に滑らかに連続している。なお、筒部１１の前半部の内径ｄ2 の部分には、前方側に緩く、後方側に急な断面非対称山形のリング状の係合リブ１１ｄが段部１１ｃに近い位置に周方向に形成されており（図３（Ａ）、（Ｂ））、係合リブ１１ｄの頂部は、滑らかに丸められている。ただし、係合リブ１１ｄは、筒部１１の周方向に連続させるに代えて、周方向に分断して形成してもよい。なお、図３（Ａ）は、本体１０の全体縦断面図であり、図３（Ｂ）は、図３（Ａ）の要部拡大図である。
【００１９】
ノズル部１２の前端面には、浅い皿状の凹部１４ａを介して噴霧孔１４がノズル部１２の軸心Ｃ上に形成されている（図４（Ａ））。ただし、図４（Ａ）、（Ｂ）は、それぞれ図３（Ａ）の要部拡大図、Ｘ−Ｘ矢視相当拡大断面図である。
【００２０】
噴霧孔１４は、ノズル部１２の内部に向けて円錐台形に開拡しており、ノズル部１２の天面には、噴霧孔１４の開拡部１４ｂの外周に向けて斜めの旋回溝１４ｃ、１４ｃ…が形成されている（図４（Ａ）、（Ｂ））。また、ノズル部１２の内周面には、中間部から前方の天面側に向けて、幅狭の平面部１２ａ、１２ａ…が周方向に等配されて形成され、ノズル部１２の後部内面には、滑らかな内向きのリング状のリブ１２ｂが形成されている。ノズル部１２の後端は、筒部１１の前端部において、筒部１１内に開口するとともに、ブロック状の突部１５、１５…と、三角錐状の先鋭な突起１６、１６…とが交互に円周状に等配されて後向きに配列されている。各突部１５、突起１６は、ほぼ同一高さに揃えられている。
【００２１】
プランジャ２０は、筒体２１の前端に係合フランジ２２、柱状のヘッド２３を同軸状に形成し、後端に外フランジ２４を形成している（図１、図２）。筒体２１の外周には、軸方向の長いガイドリブ２１ａ、２１ａ…が９０°ごとに形成されており、係合フランジ２２とヘッド２３との間には、前方に向けて滑らかに湾曲するリング状の連結部２２ａと、ヘッド２３のまわりを囲み、前方に向けて開口する環状溝２３ａとが形成されている。
【００２２】
ロッド３１は、円柱体の外周中間部に四角い抜止め用の突部３１ａ、３１ａ…を９０°ごとに配置して形成されている。そこで、ロッド３１は、筒部１１側からノズル部１２に押し込むようにしてノズル部１２の軸心Ｃ上に収納することができる（図２、図５）。なお、ロッド３１の前端は、ノズル部１２の天面に当接し、ロッド３１の前半部は、ノズル部１２の内周の平面部１２ａ、１２ａ…に接するようにして位置決めされ（図５、図４（Ｂ）の二点鎖線）、ロッド３１は、突部３１ａ、３１ａ…がノズル部１２の後部のリブ１２ｂに係合して抜止めされている。また、筒部１１の前端部の突部１５、１５…、突起１６、１６…は、ロッド３１の後方においてロッド３１の周囲に配置されている。
【００２３】
本体１０の筒部１１には、所定の液剤の所定量を軟質の包装材に封入する軟質包装剤ＳＣを収納し、プランジャ２０の筒体２１を筒部１１の後部から挿入して、使用に備えて待機する（図２、図５）。このときのプランジャ２０は、前端部の係合フランジ２２が筒部１１の中間の係合リブ１１ｄに係合して保持位置に位置決めされており、前端のヘッド２３と、筒部１１の前端部の突部１５、１５…との間に軟質包装剤ＳＣを保持している。なお、プランジャ２０の係合フランジ２２は、係合リブ１１ｄの前後の内径ｄ2 の筒部１１に対し、僅かな摺動抵抗を生じながら前後に摺動可能であり、中間の段部１１ｃより後方の内径ｄ1 ＞ｄ2 、内径ｄo ＞ｄ1 の筒部１１に対し、前後にフリーに移動可能である。また、係合フランジ２２は、プランジャ２０の後端に一定以上の強い押圧力を加えることにより、係合リブ１１ｄを越えて前進させることができる。
【００２４】
軟質包装剤ＳＣ内の液剤を投与するときは、ノズル部１２の噴霧孔１４を患部に向けながら、左右の指掛け１３、１３に人差指、中指を掛け、プランジャ２０の後端の外フランジ２４を親指で押して片手操作する。なお、操作前のプランジャ２０は、係合フランジ２２が筒部１１の内径ｄ2 の部分にあるため、筒部１１から不用意に抜け出ることがない。また、プランジャ２０は、筒部１１の後端にまで突出する長いガイドリブ２１ａ、２１ａ…を介して筒部１１の内面に対面するため、筒部１１に対して過大に傾いたり、こじれたりするおそれがない。さらに、筒体２１の前方の軟質包装剤ＳＣは、プランジャ２０が保持位置にある限り、突起１６、１６…に接触することがなく、不用意に破れたりすることがない。
【００２５】
保持位置のプランジャ２０の後端に一定以上の押圧力を加えると、係合フランジ２２が筒部１１側の係合リブ１１ｄを越えて通過するため、プランジャ２０は、前方の軟質包装剤ＳＣを押し潰しながら殆ど瞬時に前進限にまで前進する（図６の矢印方向、図７）。なお、プランジャ２０の前進限は、ヘッド２３の前端面がノズル部１２内のロッド３１の後端面に当接することによって規定され、このとき、本体１０側の突部１５、１５…、突起１６、１６…は、プランジャ２０側の環状溝２３ａに収納される。
【００２６】
一方、このようにしてプランジャ２０が保持位置を越えて高速前進すると、軟質包装剤ＳＣは、ヘッド２３と突部１５、１５…とに挟まれて弾性変形し、少なくとも１個の突起１６の先端に接触して破裂する。そこで、軟質包装剤ＳＣ内の液剤は、前方のノズル部１２に向けて飛散し、ノズル部１２の内面とロッド３１との間の隙間を通り、ノズル部１２の天面の旋回溝１４ｃ、１４ｃ…、噴霧孔１４の開拡部１４ｂを介して噴霧孔１４から外部に霧状に噴出して噴霧することができる（図７）。なお、軟質包装剤ＳＣは、前方の突起１６により突き破られて破裂するため、破裂後の包装材によって液剤がノズル部１２に向けて飛散することが妨げられるおそれがない。ただし、軟質包装剤ＳＣ内の液剤が点鼻薬の場合、噴霧操作に際してノズル部１２を鼻孔内に挿入するとよい。また、液剤が消毒薬などである場合、ノズル部１２を患部に向けて噴霧操作すればよい。
【他の実施の形態】
【００２７】
筒部１１の前端部の突起１６は、ノズル部１２に収納するロッド３１の後端に形成することができる（図８、図９）。
【００２８】
図８、図９において、突起１６を有するロッド３１は、導通孔３１ｃ、３１ｃ…を形成するリング状の連結部３１ｂを介して本体１０と一体に成形されている。また、ノズル部１２の前部の段付きの嵌合凹部１２ｃには、噴霧孔１４を有するノズルチップ１４ｄが圧入され、ノズルチップ１４ｄの天面は、ロッド３１の前端面に密着している。なお、ノズルチップ１４ｄの天面には、噴霧孔１４の開拡部１４ｂが開口しており（図１０）、開拡部１４ｂには、図４（Ｂ）と同様の旋回溝１４ｃ、１４ｃ…が付設形成されている。また、プランジャ２０の前端のヘッド２３は、前方に開口する円錐形の凹部２３ｂを取り巻くリング状に形成されており、凹部２３ｂは、突起１６に対応し、リング状のヘッド２３は、突起１６のまわりのリング状の連結部３１ｂに対応している。
【００２９】
そこで、保持位置にあるプランジャ２０の後端に一定以上の押圧力を加えてプランジャ２０を前進限にまで高速前進させると（図１０の矢印方向、図１１）、筒体２１の前方の軟質包装剤ＳＣが突起１６によって突き破られて破裂し、内部の液剤は、導通孔３１ｃ、３１ｃ…を経てノズル部１２内のノズルチップ１４ｄに流入し、最終的に噴霧孔１４から霧状に噴出させることができる。一方、このときのプランジャ２０の前進限は、リング状のヘッド２３の前面が突起１６のまわりのリング状の連結部３１ｂに当接することにより規定されている。
【００３０】
以上の説明において、プランジャ２０を中間の保持位置に保持するための筒部１１側の係合リブ１１ｄ、プランジャ２０側の係合フランジ２２は、それぞれ筒部１１の中間部、プランジャ２０の前端部に形成するに代えて、他の任意の場所に形成してもよい。たとえば、係合フランジ２２を筒体２１の先端に設けてもよい。ただし、このときの筒部１１、ノズル部１２は、同一径に形成し、プランジャ２０は、前端部の外形を突部１５、１５…用の環状溝２３ａ、突起１６用の凹部２３ｂ付きのストレートに形成することが好ましい。
【００３１】
また、本体１０のノズル部１２は、筒部１１に対して斜めに傾けて形成してもよい。液剤の噴霧方向を自在に選択することができる。なお、このときの指掛け１３、１３は、全体として単純な円形の外フランジ形に形成してもよい。
【００３２】
本体１０は、ブリッジ１７を介して一対の筒部１１、１１を平行に連結し、プランジャ２０は、ブリッジ２５を介し、筒部１１、１１に対応する一対の筒体２１、２１を平行に連結することができる（図１２、図１３）。なお、筒部１１、１１は、前端のノズル部１２、１２を双方の鼻孔に挿入可能な間隔に設定され、ノズル部１２、１２は、それぞれ鼻孔に挿入するに適する形状、サイズに設定されている。
【００３３】
本体１０の筒部１１、１１の後端の指掛け１３、１３は、筒部１１、１１の間において横方向に突出する拡幅部１３ｂ、１３ｂを介して連結されており（図１２、図１４）、各拡幅部１３ｂの前面側にも、滑止め用の突条１３ａ、１３ａが形成されている。一方、プランジャ２０の各筒体２１の後端の外フランジ２４、２４も、筒体２１、２１の間において横方向に膨出する拡張部２４ａ、２４ａを介して連結されている。そこで、片手操作によりプランジャ２０を本体１０に挿入する際には、人差指、中指を指掛け１３、１３、拡幅部１３ｂ、１３ｂのいずれに掛けても、親指により拡張部２４ａ、２４ａ付きの外フランジ２４、２４を押してプランジャ２０を前進させることができる。
【００３４】
本体１０のブリッジ１７は、１枚の板状に形成され、ブリッジ１７の後方には、後向きのスリット１７ａを形成する２重の壁体１７ｂ、１７ｂが連続して形成されている（図１３、図１４）。スリット１７ａの左右両側は、筒部１１、１１に向けて開放されており、したがって、プランジャ２０の筒体２１、２１を筒部１１、１１に挿入すると、プランジャ２０の板状のブリッジ２５の前端部がスリット１７ａに進入する。なお、ブリッジ２５の前端縁には、断面台形の係合突部２５ａが形成され、スリット１７ａの後端部内面には、係合突部２５ａに対応する低い係合リブ１７ｃ、１７ｃが相対向して形成されている。係合突部２５ａは、係合リブ１７ｃ、１７ｃに係合し、本体１０に挿入されているプランジャ２０を軽く抜止めする。
【００３５】
プランジャ２０の筒体２１、２１は、それぞれ前端部の係合フランジ２２の前方側を含めてストレートに形成されている（図１２、図１３）。各筒体２１の前端は、外周を斜めに切り欠くとともに、本体１０側のロッド３１の後端の突起１６に対応する円錐形の凹部２３ｂが前端面中央に形成されている。また、本体１０の各筒部１１の内面には、係合フランジ２２と係合してプランジャ２０の保持位置を規定する複数の係合リブ１１ｄ、１１ｄ…が周方向に分散して軸方向の同一位置に形成されている（図１３、図１５（Ａ））。なお、各係合リブ１１ｄは、図３（Ｂ）の周方向に連続する係合リブ１１ｄと同様の断面形状とする（図１５（Ｃ））。ただし、図１５（Ａ）は、本体１０の中央縦断面図、同図（Ｂ）、（Ｃ）は、それぞれ同図（Ａ）のＣ−Ｃ矢視断面図、Ｄ−Ｄ矢視拡大断面図である。
【００３６】
本体１０の各筒部１１は、保持位置のプランジャ２０の前端に相当する位置において、プランジャ２０の筒体２１の外径とほぼ同径に縮径されている（図１３、図１６）。また、各筒部１１は、筒体２１の前方においてさらに縮径され、突起１６付きのロッド３１を一体に成形するノズル部１２に連続している。
【００３７】
ロッド３１の後部は、後方に開口するリング状の深溝３１ｄを介してノズル部１２と区画されている（図１５（Ａ）、図１６）。また、ロッド３１の前部は、ノズルチップ１４ｄを圧入する嵌合凹部１２ｃを介してノズル部１２と区画されており、ロッド３１の中間部は、円弧状の導通孔３１ｃ、３１ｃ…を円形に配列するリング状の連結部３１ｂを介してノズル部１２と一体に形成されている（図１５（Ａ）、（Ｂ））。ただし、導通孔３１ｃ、３１ｃ…は、それぞれ前方の嵌合凹部１２ｃ、後方の深溝３１ｄを連通させている。
【００３８】
ロッド３１の前部の外径は、ノズルチップ１４ｄの内径に適合している（図１６）。ロッド３１の前端部は、斜めの段部３１ｅを介して縮径されており、段部３１ｅの後方には、複数の軸方向の平面状の切欠き３１ｆ、３１ｆ…を介し、ロッド３１の外周とノズルチップ１４ｄの内周との間に隙間が形成されている。ただし、切欠き３１ｆ、３１ｆ…は、図４（Ｂ）の平面部１２ａ、１２ａ…に倣ってロッド３１の外周に等配して形成するものとする。なお、図１６には、１面の切欠き３１ｆのみが図示されている。ノズルチップ１４ｄの天面には、図４（Ｂ）と同様の旋回溝１４ｃ、１４ｃ…が形成され、旋回溝１４ｃ、１４ｃ…の外周縁は、ノズルチップ１４ｄの内周に沿う下向きの細溝１４ｅを介して連結されている。なお、ノズルチップ１４ｄの外周には、抜止め用の滑らかなリブ１４ｆが周方向に形成され、嵌合凹部１２ｃの内面には、リブ１４ｆに対応する凹条１２ｄが形成されている（図１５（Ａ））。
【００３９】
軟質包装剤ＳＣは、円形のシート状の包装材ＳＣ1 上に軟質の包装材ＳＣ2 をドーム状に膨出させて付設し（図１２）、包装材ＳＣ2 の内部に点鼻薬の液剤を封入している。そこで、軟質包装剤ＳＣ、ＳＣは、筒部１１、１１に収納してプランジャ２０を保持位置に前進させると、それぞれ包装材ＳＣ1 の外縁が筒部１１の前部の縮径用の斜めの段部に係合して筒体２１の前方に保持され（図１３、図１６）、突起１６に接触することがない。ただし、軟質包装剤ＳＣは、突起１６に接触しても不用意に傷付いたり破れたりしない限り、必ずしも包装材ＳＣ1 を斜めの段部に係合させて保持する必要がない。
【００４０】
そこで、ノズル部１２、１２の先端を双方の鼻孔に挿入し、保持位置のプランジャ２０の後端に一定以上の押圧力を加えてプランジャ２０を前進限にまで高速前進させると（図１６の矢印方向、図１７）、各筒体２１の前方の軟質包装剤ＳＣが突起１６によって突き破られて破裂し、内部の液剤は、深溝３１ｄ、導通孔３１ｃ、３１ｃ…と、ロッド３１の切欠き３１ｆ、３１ｆ…によるノズルチップ１４ｄ内の隙間とを通り、最終的に噴霧孔１４から外部に霧状に噴出させることができる。なお、このときのプランジャ２０の前進限は、各筒体２１のヘッド２３の前端面がロッド３１の後端面に当接することにより規定されている。
【００４１】
以上の説明において、液剤を封入する軟質包装剤ＳＣは、種々に変形可能である。たとえば、円形のシート状の包装材ＳＣ1 の上下に軟質の包装材ＳＣ2 、ＳＣ2 をドーム状に膨出させて付設してもよく（図１８（Ａ））、シート状の包装材ＳＣ1 上に軟質の包装材ＳＣ2 を円錐台形状に膨出させてもよい（同図（Ｂ））。また、軟質の包装材ＳＣ2 による袋体の上下をシールしてもよく（同図（Ｃ））、軟質の包装材ＳＣ2 の三方をシールして袋体としてもよい（同図（Ｄ））。
【産業上の利用可能性】
【００４２】
この発明は、点鼻薬や、口臭薬、消毒薬などの液剤を噴霧して投与するために、使い捨て用の用途に対して広く好適に適用することができる。
【符号の説明】
【００４３】
ＳＣ…軟質包装剤
１０…本体
１１…筒部
１２…ノズル部
１４…噴霧孔
１５…突部
１６…突起
２０…プランジャ
２１…筒体
３１…ロッド
特許出願人      伸晃化学株式会社
【図１】
0005959269.tif 000002
【図２】
0005959269.tif 000003
【図３】
0005959269.tif 000004
【図４】
0005959269.tif 000005
【図５】
0005959269.tif 000006
【図６】
0005959269.tif 000007
【図７】
0005959269.tif 000008
【図８】
0005959269.tif 000009
【図９】
0005959269.tif 000010
【図１０】
0005959269.tif 000011
【図１１】
0005959269.tif 000012
【図１２】
0005959269.tif 000013
【図１３】
0005959269.tif 000014
【図１４】
0005959269.tif 000015
【図１５】
0005959269.tif 000016
【図１６】
0005959269.tif 000017
【図１７】
0005959269.tif 000018
【図１８】
0005959269.tif 000019